(57)【要約】【課題】天井裏に配線している配線ケーブルを目視して、その接続先を判別し、さらに点検口を開いて、配線ケーブルを引っ張って簡単にメンテナンスや増設をする。【解決手段】屋内配線してなる建物は、商用電源９に接続してなる複数のブレーカ２と、各々のブレーカ２又はアース４に一端を接続し、他端をコンセント２２又は電気機器２０に接続してなる配線ケーブル１とを備え、配線ケーブル１を点検する点検口３１を天井３０に開口して、この点検口３１を脱着自在な天井照明器具２１Ａで閉塞している。配線ケーブル１は、照明ケーブル１１とコンセントケーブル１２とエアコンケーブル１３とクッキングケーブル１４と冷蔵庫ケーブル１５とアースケーブル１６とを備え、これらの配線ケーブル１を、各々外皮が異なる色に着色されたカラーケーブルとしている。さらに、配線ケーブル１は、引っ張られて伸長されるたるみ部５を設けて建物に固定している。【選択図】図１
2011234442.tif 000002
【特許請求の範囲】
【請求項１】
商用電源(9)に接続してなる複数のブレーカ(2)と、各々のブレーカ(2)又はアース(4)に一端を接続して建物内に配線され、かつ他端をコンセント(22)又は電気機器(20)に接続してなる配線ケーブル(1)とを備え、
前記配線ケーブル(1)を点検する点検口(31)が天井(30)に開口されて、この点検口(31)に脱着自在に天井照明器具(21A)が装着されて、天井照明器具(21A)で天井(30)の点検口(31)を閉塞してなる建物であって、
前記配線ケーブル(1)が、照明器具(21)に接続している照明ケーブル(11)と、
建物内に固定してなるコンセント(22)に接続しているコンセントケーブル(12)と、
エアコン(23)に接続しているエアコンケーブル(13)と、
ＩＨクッキングヒーター(24)に接続しているクッキングケーブル(14)と、
冷蔵庫(25)に接続している冷蔵庫ケーブル(15)と、
アースライン(41)に接続しているアースケーブル(16)とを備え、
照明ケーブル(11)とコンセントケーブル(12)とエアコンケーブル(13)とクッキングケーブル(14)と冷蔵庫ケーブル(15)とアースケーブル(16)とは、各々外皮が異なる色に着色されたカラーケーブルで、
さらに前記配線ケーブル(1)は、引っ張られて伸長されるたるみ部(5)を設けて建物に固定してなる屋内配線してなる建物。
【請求項２】
前記照明ケーブル(11)が外皮を赤色に着色してなる赤色ケーブルで、
前記コンセントケーブル(12)が外皮を青色に着色してなる青色ケーブルで、
前記エアコンケーブル(13)が外皮を黒色に着色してなる黒色ケーブルで、
前記クッキングケーブル(14)が外皮を灰色に着色してなる灰色ケーブルで、
前記冷蔵庫ケーブル(15)が外皮を白色に着色してなる白色ケーブルで、
前記アースケーブル(16)が外皮を緑色に着色してなる緑色ケーブルである請求項１に記載される屋内配線してなる建物。
【請求項３】
前記配線ケーブル(1)が、前記ブレーカ(2)に一端を接続して、他端を食器洗い機(27)に接続してなる食器洗い機ケーブル(17)を備え、食器洗い機ケーブル(17)の外皮の色が他の配線ケーブル(1)の外皮の色と異なる請求項１または２に記載される屋内配線してなる建物。
【請求項４】
前記配線ケーブル(1)が、前記ブレーカ(2)に一端を接続して、他端をトイレの弁座(28)に接続してなるトイレケーブル(18)を備え、トイレケーブル(18)の外皮の色が他の配線ケーブル(1)の外皮の色と異なる請求項１ないし３のいずれかに記載される屋内配線してなる建物。
【請求項５】
前記配線ケーブル(1)が、前記ブレーカ(2)に一端を接続して、他端を洗面化粧台(29)に接続してなる洗面化粧台ケーブル(19)を備え、洗面化粧台ケーブル(19)の外皮の色が他の配線ケーブル(1)の外皮の色と異なる請求項１ないし４のいずれかに記載される屋内配線してなる建物。
【請求項６】
前記配線ケーブル(1)が、前記ブレーカ(2)に一端を接続して、他端を食器洗い機(27)に接続してなる食器洗い機ケーブル(17)と、前記ブレーカ(2)に一端を接続して、他端をトイレの弁座(28)に接続してるトイレケーブル(18)と、前記ブレーカ(2)に一端を接続して、他端を洗面化粧台(29)に接続してなる洗面化粧台ケーブル(19)とを備え、
前記食器洗い機ケーブル(17)が外皮を黄色に着色してなる黄色ケーブルで、
前記トイレケーブル(18)が外皮を橙色に着色してなる橙色ケーブルで、
前記洗面化粧台ケーブル(19)が外皮を茶色に着色してなる茶色ケーブルである請求項１または２に記載される屋内配線してなる建物。
【請求項７】
同色のカラーケーブルが一緒に束ねられて、あるいは接近して建物に固定されてなる請求項１ないし６のいずれかに記載される屋内配線してなる建物。
【請求項８】
前記配線ケーブル(1)が、ステップル(6A)で建物に固定され、点検口(31)から配線ケーブル(1)が引っ張られるとステップル(6A)が建物から抜けるように固定してなる請求項１ないし７のいずれかに記載される屋内配線してなる建物。
【発明の詳細な説明】
【技術分野】
【０００１】
本発明は、照明やコンセントに接続している屋内配線をしている建物に関する。
【背景技術】
【０００２】
建物は、商用電源で照明を点灯し、また種々の電気製品を使用するために各部屋に固定しているコンセントに配線ケーブルを接続して、各々の配線ケーブルをブレーカに接続している。すなわち、建物は、商用電源に多数のブレーカを接続し、各々のブレーカに多数の配線ケーブルを接続して、配線ケーブルの先端に照明器具やコンセントを接続している。
【０００３】
各々の配線ケーブルは、最大電流を１５Ａ〜２０Ａに制限しているので、建物には多数のブレーカを設け、各々のブレーカに配線ケーブルを接続して、１本の配線ケーブルに流れる電流を制限している。各々のブレーカは、制限電流である１５Ａ〜２０Ａで電流を遮断して、配線ケーブルの過電流を防止している。ブレーカに接続している配線ケーブルは、最大電流を制限するために、接続する電気機器の個数を制限している。また、エアコンやＩＨクッキングヒーター等は、１台の消費電流が大きく、専用の配線ケーブルでブレーカに接続している。
【０００４】
従来は、通称ＶＡと呼ばれる配線ケーブルが使用され、これが建物の天井裏などに固定されて、各々のブレーカに照明器具やコンセントを接続している。建物には多数の照明器具やコンセントが設けられ、さらに、エアコンやＩＨクッキングヒーター等の大電流な電気機器も使用されるので、多数の配線ケーブルが蜘蛛の巣のように張りめぐらされる。
【０００５】
屋内配線に使用される配線ケーブルとして、外皮を着色しているカラーケーブルが開発されている。（特許文献１参照）
【先行技術文献】
【特許文献】
【０００６】
【特許文献１】特開平１−２７４３１６号公報
【発明の概要】
【発明が解決しようとする課題】
【０００７】
カラーケーブルは開発されているが、従来の屋内配線にはグレイに着色された、通称ＶＡと呼ばれるケーブルが使用される。このため、従来の配線ケーブルで配設された建物は、配線ケーブルの故障やメンテナンス、あるいは、コンセントや照明器具の増設を簡単にできない欠点があった。それは、天井裏に不規則に配線している多数の配線ケーブルがいずれのブレーカに接続され、また、いずれの照明器具やコンセントに接続されているか全く判別できないからである。
【０００８】
屋内配線は、照明器具、コンセント、使用する電気機器等の配置や個数が年月の経過と共に変化し、あるいは居住している住民の家族構成などでこれらが変更することがあり、また、使用する電気機器の消費電力が変化し、あるいはまた、配線ケーブルの接続部の接触不良などで補修する必要があるが、従来の屋内配線された建物は、これらを効率よくできない欠点がある。
【０００９】
本発明は、この欠点を解決することを目的に開発されたものである。本発明の重要な目的は、天井裏に配線している配線ケーブルを目視して、その配線ケーブルが照明器具やコンセント、あるいはエアコン等に接続していることを判別でき、さらに点検口を開いて接続している電気機器を特定している配線ケーブルを引っ張って簡単にメンテナンスでき、さらにコンセントや照明器具などの電気機器を簡単に増設できる屋内配線してなる建物を提供することにある。
【課題を解決するための手段及び発明の効果】
【００１０】
本発明の屋内配線してなる建物は、商用電源９に接続してなる複数のブレーカ２と、各々のブレーカ２又はアース４に一端を接続して建物内に配線され、かつ他端をコンセント２２又は電気機器２０に接続してなる配線ケーブル１とを備え、配線ケーブル１を点検する点検口３１を天井３０に開口して、この点検口３１に脱着自在に天井照明器具２１Ａを装着して、天井照明器具２１Ａで天井３０の点検口３１を閉塞している。配線ケーブル１は、照明器具２１に接続している照明ケーブル１１と、建物内に固定してなるコンセント２２に接続しているコンセントケーブル１２と、エアコン２３に接続しているエアコンケーブル１３と、ＩＨクッキングヒーター２４に接続しているクッキングケーブル１４と、冷蔵庫２５に接続している冷蔵庫ケーブル１５と、アースライン４１に接続しているアースケーブル１６とを備え、照明ケーブル１１とコンセントケーブル１２とエアコンケーブル１３とクッキングケーブル１４と冷蔵庫ケーブル１５とアースケーブル１６とを、各々外皮が異なる色に着色されたカラーケーブルとしている。さらに、配線ケーブル１は、引っ張られて伸長されるたるみ部５を設けて建物に固定している。
【００１１】
以上の屋内配線された建物は、点検口の天井照明器具を外して点検口を開き、天井裏に配線している配線ケーブルを目視して、その配線ケーブルが照明器具やコンセント、あるいはエアコン等に接続していることを判別でき、さらに、点検口を開いて接続している電気機器を特定している配線ケーブルを引っ張って簡単にメンテナンスできる特徴がある。また、コンセントや照明器具などの電気機器を簡単に増設できる特徴も実現する。たとえば、コンセントを増設する場合、点検口を開いてコンセントに接続している配線ケーブルを簡単に、しかも確実に特定し、さらに配線ケーブルを点検口から引っ張ってたるみ部を伸長して引き寄せ、これに分岐する配線ケーブルを接続して、新しいコンセントに接続できる。また、大電流が流れるエアコン等が接続部で接触不良を起こして正常に運転できなくなると、点検口を開いて配線ケーブルの色でエアコンに接続している配線ケーブルを特定し、特定された配線ケーブルのたるみ部を伸長して点検口に引き寄せて、接続部の接触不良を検査することができる。さらに、天井の点検口を天井照明器具で閉塞するので、大きな点検口を天井に目立たないように設けることができ、大きな点検口から照明器具やコンセントに接続している配線ケーブルを特定して、能率よくメンテナンスや補修、さらに増設などをできる特徴がある。また、点検口を天井照明器具で閉塞するので、天井に大きな点検口を設けて配線のメンテナンス、補修、増設などを簡単に能率よくできるようにしながら、通常の使用状態にあっては、点検口を天井照明器具で閉塞して、室内を綺麗にできる特徴も実現する。
【００１２】
本発明の屋内配線してなる建物は、照明ケーブル１１を、外皮を赤色に着色してなる赤色ケーブルとし、コンセントケーブル１２を、外皮を青色に着色してなる青色ケーブルとし、エアコンケーブル１３を、外皮を黒色に着色してなる黒色ケーブルとし、クッキングケーブル１４を、外皮を灰色に着色してなる灰色ケーブルとし、冷蔵庫ケーブル１５を、外皮を白色に着色してなる白色ケーブルとし、アースケーブル１６を、外皮を緑色に着色してなる緑色ケーブルとすることができる。
【００１３】
以上の屋内配線してなる建物は、配線ケーブルの色を見て照明器具と、コンセントと、エアコンと、ＩＨクッキングヒーターと、冷蔵庫と、アースラインに接続している配線ケーブルを明確に判別できる。このため、点検口から天井裏を見て、配線ケーブルを何に接続しているかを明確に判定できる。
【００１４】
本発明の屋内配線してなる建物は、配線ケーブル１が、ブレーカ２に一端を接続して、他端を食器洗い機２７に接続してなる食器洗い機ケーブル１７を備えて、食器洗い機ケーブル１７の外皮の色を、他の配線ケーブル１の外皮の色と異なる色とすることができる。
以上の建物は、点検口から天井裏を見て、食器洗い機に接続している配線ケーブルを明確に判別できる。
【００１５】
本発明の屋内配線してなる建物は、配線ケーブル１が、ブレーカ２に一端を接続して、他端をトイレの弁座２８に接続してなるトイレケーブル１８を備えて、トイレケーブル１８の外皮の色を、他の配線ケーブル１の外皮の色と異なる色とすることができる。
以上の屋内配線してなる建物は、点検口から天井裏を見て、トイレの弁座に接続している配線ケーブルを明確に判別できる。
【００１６】
本発明の屋内配線してなる建物は、配線ケーブル１が、ブレーカ２に一端を接続して、他端を洗面化粧台２９に接続してなる洗面化粧台ケーブル１９を備えて、洗面化粧台ケーブル１９の外皮の色を、他の配線ケーブル１の外皮の色と異なる色とすることができる。
以上の屋内配線してなる建物は、点検口から天井裏を見て、洗面化粧台に接続している配線ケーブルを明確に判別できる。
【００１７】
本発明の屋内配線してなる建物は、配線ケーブル１が、ブレーカ２に一端を接続して、他端を食器洗い機２７に接続してなる食器洗い機ケーブル１７と、ブレーカ２に一端を接続して、他端をトイレの弁座２８に接続してなるトイレケーブル１８と、ブレーカ２に一端を接続して、他端を洗面化粧台２９に接続してなる洗面化粧台ケーブル１９を備え、食器洗い機ケーブル１７を、外皮を黄色に着色してなる黄色ケーブルとし、トイレケーブル１８を、外皮を橙色に着色してなる橙色ケーブルとし、洗面化粧台ケーブル１９を、外皮を茶色に着色してなる茶色ケーブルとすることができる。
以上の屋内配線してなる建物は、点検口から天井裏の配線ケーブルを見て、食器洗い機に接続している配線ケーブルと、トイレの弁座に接続している配線ケーブルと、洗面化粧台に接続している配線ケーブルを明確に判別できる。
【００１８】
本発明の屋内配線してなる建物は、同色の配線ケーブル１を一緒に束ねて建物に配線することができる。
以上の屋内配線してなる建物は、先端に接続するものを同じものとする配線ケーブルを束ねて配線しているので、多数の配線ケーブルを天井裏に配線しても、点検口から天井裏の配線ケーブルを見て、照明器具やコンセント等に接続している配線ケーブルを識別できる。
【００１９】
本発明の屋内配線してなる建物は、配線ケーブル１をステップル６Ａで建物に固定すると共に、点検口３１から配線ケーブル１を引っ張るとステップル６Ａが建物から抜けるように固定することができる。
以上の屋内配線してなる建物は、点検口から配線ケーブルを引っ張ってステップルが抜けるように建物に固定しているので、配線ケーブルのたるみ部を少なくしても、配線ケーブルを点検口に引き寄せできる特徴がある。
【図面の簡単な説明】
【００２０】
【図１】本発明の一実施例にかかる屋内配線してなる建物の概略構成図である。
【図２】図１に示す建物の天井に開口した点検口を示す断面図である。
【図３】図１に示す建物のブレーカケースの拡大図である。
【図４】天井裏に配線される配線ケーブルの配線状態の一例を示す斜視図である。
【発明を実施するための形態】
【００２１】
以下、本発明の実施例を図面に基づいて説明する。ただし、以下に示す実施例は、本発明の技術思想を具体化するための屋内配線してなる建物を例示するものであって、本発明は屋内配線してなる建物を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図１に示す屋内配線してなる建物は、外部から引き込まれる１００Ｖの商用電源９に接続してなる複数のブレーカ２と、各々のブレーカ２に一端を接続して建物内に配線され、かつ他端をコンセント２２又は電気機器２０に接続してなる配線ケーブル１とを備える。さらに、この図の建物は、図２に示すように、配線ケーブル１を点検する点検口３１を天井３０に開口して、この点検口３１に脱着自在に天井照明器具２１Ａを装着して、天井照明器具２１Ａで天井３０の点検口３１を閉塞している。
【００２４】
建物は、複数のブレーカ２を収納しているブレーカケース３を建物内に固定している。ブレーカケース３は、図３に示すように、多数のブレーカ２を収納している。各々のブレーカ２は、一方を商用電源９である交流１００Ｖに接続して、他方には配線ケーブル１を接続している。各々の配線ケーブル１は、ブレーカ２を介して商用電源９に接続される。ブレーカ２は、これを接続している配線ケーブル１にあらかじめ設定している電流よりも大きな電流、たとえば、１５Ａ〜２０Ａの電流が流れると、オン状態からオフ状態に切り換えられて電流を遮断する。電流を遮断する状態になったブレーカ２は、配線ケーブル１に過電流が流れない状態として、手動でオン状態に切り換えられる。オン状態のブレーカ２は、配線ケーブル１を商用電源９に接続して、配線ケーブル１に商用電力を供給する。多数のブレーカ２を収納しているブレーカケース３は、建物内に配設される。
【００２５】
建物は、図１に示すように、天井裏３２に配線ケーブル１を配線している。配線ケーブル１は、照明器具２１に接続している照明ケーブル１１と、建物内に固定しているコンセント２２に接続しているコンセントケーブル１２と、エアコン２３に接続しているエアコンケーブル１３と、ＩＨクッキングヒーター２４に接続しているクッキングケーブル１４と、冷蔵庫２５に接続している冷蔵庫ケーブル１５と、アースライン４１に接続しているアースケーブル１６とを備える。
【００２６】
照明ケーブル１１は、一端をブレーカ２に接続して、他端を照明器具２１に接続している。照明ケーブル１１は、ソケット２１Ｘを介して照明器具２１に接続され、あるいは直接に照明器具２１に接続される。建物には多数の照明器具２１が設けられるので、建物には複数本の照明ケーブル１１が配線される。各々の照明ケーブル１１は、ブレーカケース３に収納しているブレーカ２に接続され、ブレーカ２を介して商用電源９に接続される。各々の照明ケーブル１１には複数の照明器具２１が接続される。照明ケーブル１１に接続する照明器具２１の個数は、照明ケーブル１１に流れる電流が規定の電流よりも小さくなるように調整される。複数の照明ケーブル１１は束ねられて天井裏３２に配線される。
【００２７】
コンセントケーブル１２は、一端をブレーカ２に接続して、他端をコンセント２２に接続している。建物には多数のコンセント２２が設けられるので、複数本のコンセントケーブル１２が天井裏３２に配線される。各々のコンセントケーブル１２は、ブレーカケース３に収納しているブレーカ２に接続され、ブレーカ２を介して商用電源９に接続される。１本のコンセントケーブル１２には、複数のコンセント２２を接続している。１本のコンセントケーブル１２に接続するコンセント２２の個数は、コンセント２２に接続される電気機器２０の電流で特定される。１本のコンセントケーブル１２に接続するコンセント２２を少なくして、コンセント２２に大きな消費電力の電気機器２０を接続できる。複数のコンセントケーブル１２は、束ねられて、あるいは互いに接近する平行な姿勢で天井裏３２に配線される。
【００２８】
エアコンケーブル１３は、一端をブレーカ２に接続して他端をエアコン２３に接続している。エアコン２３は消費電力が大きく、エアコンケーブル１３に大電流が流れる。したがって、１本のエアコンケーブル１３には一台のエアコン２３に接続される。複数のエアコン２３を設けてなる建物にあっては、複数のエアコンケーブル１３を配線して、各々のエアコンケーブル１３に各々のエアコン２３を接続する。エアコンケーブル１３は専用のコンセント２３Ｘを介してエアコン２３に接続され、あるいは直接に接続される。消費電力の大きいエアコンは、エアコンケーブルとブレーカを介して２００Ｖの商用電源に接続される。複数のエアコンケーブル１３も束ねて、あるいは互いに接近する平行な姿勢で天井裏３２に配線される。
【００２９】
クッキングケーブル１４は、一端をブレーカ２に接続して、他端をＩＨクッキングヒーター２４に接続される。ＩＨクッキングヒーター２４も消費電力が大きいので、１本のクッキングケーブル１４は、一台のＩＨクッキングヒーター２４に接続される。
【００３０】
冷蔵庫ケーブル１５は、一端をブレーカ２に接続して、他端を冷蔵庫２５に接続する。この冷蔵庫ケーブル１５は、建物に冷蔵庫２５に接続する専用のコンセント２５Ｘを設け、このコンセント２５Ｘに冷蔵庫２５を接続する。
【００３１】
アースケーブル１６は、一端をアースライン４１に接続して、他端を電気機器２０に接続している。アースライン４１は、一端に接続してなるアース棒４０を、屋外において地面に埋設してアース４としている。アースライン４１を介してアース４に接続されるアースケーブル１６は、水周りの電機機器２０や消費電力の大きな電気機器２０に接続されて、ユーザーが感電するのを防止している。図１に示す建物は、エアコン２３、ＩＨクッキングヒーター２４、冷蔵庫２５、食器洗い機２７、及び、トイレの弁座２８にアースケーブル１６を接続している。これらの電気機器２０に接続される複数のアースケーブル１６は、複数本を束ねて、あるいは互いに接近する平行な姿勢で天井裏３２に配線される。アースケーブル１６は、アース端子２６を介して、電機機器２０に接続され、あるいは、直接に接続される。特定の電気機器２０に接続される専用のコンセント２３Ｘ、２５Ｘ、２７Ｘ、２８Ｘは、アース端子２６を併設して設けて、電気機器２０の電源コード２０ａをコンセント２３Ｘ、２５Ｘ、２７Ｘ、２８Ｘに、アースコード２０ｂをアース端子２６に接続する。
【００３２】
照明ケーブル１１とコンセントケーブル１２とエアコンケーブル１３とクッキングケーブル１４と冷蔵庫ケーブル１５とアースケーブル１６とは、各々外皮が異なる色に着色されたカラーケーブルである。なお、図１においては、配線ケーブル１の外皮の色を区別しやすいように、異なる色に着色されたカラーケーブルを異なる線種で表示し、また、図３においては異なるハッチングで表示している。
【００３３】
照明ケーブル１１は外皮を赤色に着色してなる赤色ケーブル、コンセントケーブル１２は外皮を青色に着色してなる青色ケーブル、エアコンケーブル１３は外皮を黒色に着色してなる黒色ケーブル、クッキングケーブル１４は外皮を灰色に着色してなる灰色ケーブル、冷蔵庫ケーブル１５は外皮を白色に着色してなる白色ケーブル、アースケーブル１６は外皮を緑色に着色してなる緑色ケーブルとして、各々の配線ケーブル１を異なる色のカラーケーブルとしている。
【００３４】
ただし、照明ケーブルと、コンセントケーブルと、エアコンケーブルと、クッキングケーブルと、冷蔵庫ケーブルと、アースケーブルは、必ずしも前述の色のカラーケーブルに特定することなく、全て異なる色のカラーケーブルを使用して、照明ケーブルと、コンセントケーブルと、エアコンケーブルと、クッキングケーブルと、冷蔵庫ケーブルと、アースケーブルを識別できる。
【００３５】
さらに、図１の建物は、照明ケーブル１１と、コンセントケーブル１２と、エアコンケーブル１３と、クッキングケーブル１４と、冷蔵庫ケーブル１５と、アースケーブル１６に加えて、配線ケーブル１が、食器洗い機２７に接続している食器洗い機ケーブル１７と、トイレの弁座２８に接続しているトイレケーブル１８と、洗面化粧台２９に接続している洗面化粧台ケーブル１９とを備えている。
【００３６】
食器洗い機ケーブル１７は、一端をブレーカ２に接続して、他端を食器洗い機２７に接続する。この食器洗い機ケーブル１７は、専用のコンセント２７Ｘを介して食器洗い機２７に接続され、あるいは直接に接続される。食器洗い機２７を接続する専用のコンセント２７Ｘは、アース端子２６を併設して設けて、食器洗い機２７の電源コード２０ａをコンセント２７Ｘに、アースコード２０ｂをアース端子２６に接続する。この専用のコンセント２７Ｘは、台所周りに配設されるので、食器洗い機２７に代わって、電子レンジやオーブントースター等の消費電力が大きい電気機器を接続することもできる。食器洗い機ケーブル１７は、外皮を黄色とする黄色ケーブルとすることができる。
【００３７】
トイレケーブル１８は、一端をブレーカ２に接続して、他端をトイレの弁座２８に接続する。このトイレケーブル１８は、専用のコンセント２８Ｘを介してトイレの弁座２８に接続され、あるいは直接に接続される。トイレの弁座２８に接続される専用のコンセント２８Ｘは、アース端子２６を併設して設けて、トイレの弁座２８の電源コード２０ａをコンセント２８Ｘに、アースコード２０ｂをアース端子２６に接続する。トイレケーブル１８は、外皮を橙色とする橙色ケーブルとすることができる。
【００３８】
洗面化粧台ケーブル１９は、一端をブレーカ２に接続して、他端を洗面化粧台２９に接続する。この洗面化粧台ケーブル１９は、洗面化粧台２９に直接に接続され、あるいは、専用のコンセントを介して接続される。洗面化粧台ケーブル１９は、外皮を茶色とする茶色ケーブルとすることができる。ただ
【００３９】
以上の建物は、食器洗い機ケーブル１７を黄色ケーブルとし、トイレケーブル１８を橙色ケーブルとし、洗面化粧台ケーブル１９を茶色ケーブルとしている。ただし、食器洗い機ケーブルとトイレケーブルと洗面化粧台ケーブルは、カラーケーブルの色を前述の色に特定するものではない。食器洗い機ケーブルとトイレケーブルと洗面化粧台ケーブルは、全てのカラーケーブルを同じ色とすることなく、異なる色とすることで、照明ケーブルと、コンセントケーブルと、エアコンケーブルと、クッキングケーブルと、冷蔵庫ケーブルと、アースケーブルと、食器洗い機ケーブルと、トイレケーブルと、洗面化粧台ケーブルとを異なる色として外皮の色で識別できるからである。
【００４０】
さらに、異なるカラーケーブルである照明ケーブル１１と、コンセントケーブル１２と、エアコンケーブル１３と、クッキングケーブル１４と、冷蔵庫ケーブル１５と、アースケーブル１６と、食器洗い機ケーブル１７と、トイレケーブル１８と、洗面化粧台ケーブル１９からなる配線ケーブル１は、図２と図４に示すように、引っ張られて伸長されるたるみ部５を設けて建物に固定している。
【００４１】
配線ケーブル１は、図２と図４に示すように、複数のステップル６Ａ等の固定具６で建物の柱や梁３３や天井に固定される。ステップル６Ａは、コ字状の金属で、配線ケーブル１を挟んで両側の釘部を建物に打ち込んで配線ケーブル１を建物に固定する。固定具６は、ステップル６Ａに代わって結束体６Ｂも使用できる。結束体６Ｂは、複数の配線ケーブル１を束ね、一端を建物に固定して配線ケーブル１を建物に固定する。ステップル６Ａや結束体６Ｂ等の固定具６は、配線ケーブル１を一定の間隔で建物に固定する。
【００４２】
配線ケーブル１は、隣接する固定具６の間にたるみ部５を設けて建物に固定される。たるみ部５は、たとえば、配線ケーブル１を点検口３１から引っ張って、数十ｃｍ〜数メートル引き寄せできる長さとされる。たるみ部５を長くして、点検口３１から離れた配線ケーブル１を点検口３１まで引き寄せできる。配線ケーブル１が点検口３１に近くに配線される状態にあっては、たるみ部５を短くして、点検口３１に配線ケーブル１を引き寄せできる。したがって、たるみ部５の長さは、配線ケーブル１と点検口３１との距離を考慮して最適値に調整される。
【００４３】
建物に打ち込んで固定されるステップル６Ａは、配線ケーブル１を強く引っ張って建物から抜けるように建物に固定される。ステップル６Ａは、建物に打ち込む深さを調整して、抜けやすさをコントロールでき、深く打ち込んで強固に、厚く打ち込んで抜けやすく建物に固定される。配線ケーブル１が、これを引っ張って引き抜きできるステップル６Ａで固定される構造にあっては、たるみ部５を短くして配線ケーブル１を点検口３１に引き寄せできる。したがって、たるみ部５の長さは、ステップル６Ａを建物に固定する状態によっても最適値に調整される。
【００４４】
固定具６は、同色のカラーケーブルを結束具６Ｂで一緒に束ねて建物に固定し、あるいは同色のカラーケーブルを接近して平行に並べてステップル６Ａで建物に固定している。
【符号の説明】
【００４５】
１…配線ケーブル
２…ブレーカ
３…ブレーカケース
４…アース
５…たるみ部
６…固定具                      ６Ａ…ステップル
６Ｂ…結束体
９…商用電源
１１…照明ケーブル
１２…コンセントケーブル
１３…エアコンケーブル
１４…クッキングケーブル
１５…冷蔵庫ケーブル
１６…アースケーブル
１７…食器洗い機ケーブル
１８…トイレケーブル
１９…洗面化粧台ケーブル
２０…電気機器                  ２０ａ…電源コード
２０ｂ…アースコード
２１…照明器具                  ２１Ａ…天井照明器具
２１Ｘ…ソケット
２２…コンセント
２３…エアコン                  ２３Ｘ…コンセント
２４…ＩＨクッキングヒーター
２５…冷蔵庫                    ２５Ｘ…コンセント
２６…アース端子
２７…食器洗い機                ２７Ｘ…コンセント
２８…弁座                      ２８Ｘ…コンセント
２９…洗面化粧台
３０…天井
３１…点検口
３２…天井裏
３３…梁
４０…アース棒
４１…アースライン
【図１】
2011234442.tif 000003
【図２】
2011234442.tif 000004
【図３】
2011234442.tif 000005
【図４】
2011234442.tif 000006